(57)【要約】【課題】調節留め具部分での肩紐の折り返しをなくすことにより、肩紐の部分的な厚さの増加を抑制して、衣類を着けた際に、上からの圧迫による違和感をなくすと共に、さらに衣類の着脱時には肩紐の長さを容易に伸ばして着用時の操作性を良くし、着脱しやすくする。【解決手段】ブラジャー等の女性用下着および水着等の肩紐の長さを調節する留め具２が、接着、溶着、カシメまたはインサート成形等により肩紐１に一体的に設けられる。【選択図】　　　　図１
2004076173.tif 000002
【特許請求の範囲】
【請求項１】
ブラジャー等の女性用下着および水着等の肩紐の長さを調節する調節留め具が、接着、溶着、カシメまたはインサート成形等により肩紐に一体的に設けられていることを特徴とする肩紐。
【請求項２】
ブラジャー等の女性用下着および水着等の肩紐の長さを調節する調節留め具に係脱自在な係合具が、接着、溶着、カシメまたはインサート成形等により肩紐に一体的に設けられており、係合具の回動操作により、調節留め具と係合具の肩紐当接面間に隙間を形成して、該隙間により肩紐の長さをスライド調節できるように構成されていることを特徴とする肩紐の長さ調節装置。
【発明の詳細な説明】
【０００１】
【発明の属する技術分野】
本発明は、長さ調節留め具を肩紐に一体的に形成した肩紐および肩紐の長さを極めて簡単な操作で調節することができる肩紐の長さ調節装置に関するものである。
【０００２】
【従来の技術】
ブラジャー、ボディスーツ、ブラスリップ、スリップ、キャミソールなどの女性用下着や水着には、乳房を立体的に覆い着用者のバストシルエット全体を美しく整容すると共に、バスト全体とバストトップ（円錐形状の頂点）位置を最も美しく見える位置に設定するために、首・肩の方向にバストカップを吊り上げる機能が必要とされ、そのための肩紐が取り付けられている。
【０００３】
また、バストのトップ位置は着用者により個人差があり、ブラジャーカップの理想位置への固定、すなわちバストカップを含めたシルエット形状とそのカップ頂点位置を着用者の理想体形に合わせるために、肩紐には長さを調節する機能が必要とされる。
【０００４】
その長さの調節具としては、図１５〜図１７に示すように、エイト環（８字環）が用いられており、図１７に示すように、肩紐４１の一端をエイト環４２の裏面から上方の挿通孔４３に通して表面に出し、下方の挿通孔４４に通して裏面に出し、カップ上部に取り付けられる連結環４５に挿通して折り返し、再び上方の挿通孔４３の裏面から挿入して表面に出し、下方の挿通孔４４に通し、中央取付け杆４２ｂに巻きつけて端部を縫着していた。そして、エイト環４２の位置を変え、摩擦力により肩紐４１の長さを調節・固定することにより、バストカップの位置を調節・固定するようになっている。
【０００５】
【発明が解決しようとする課題】
しかしながら、この肩紐４１は前述のように、エイト環４２の中央取付け杆４２ｂに巻きつけ折り返した端部を縫製で固定しているため、肩紐が３重になり、その上にエイト環４２が上乗せされた状態となるため、部分的に厚くなって、肌に局部的圧迫が加わり、着用した時に着心地が悪くて不快感を与えるばかりでなく、薄物の衣料を上に着用した場合に、エイト環４２の突起が目立ちシルエットが崩れて不体裁になるといった問題点があった。
【０００６】
また、肩紐４１の長さは一度調節すると再調節する操作が煩わしいため、殆ど調節されておらず、従って肩紐４１がタイトな状態のままで衣類を着脱することになり、特にワンピ−スタイプの水着やホディ−ス−ツのようにタイトな衣類の着脱には困難が伴うという問題があった。
【０００７】
本発明は、上記の問題を解決することを課題として、研究開発されたもので、調節留め具部分での肩紐の折り返しをなくすことにより、肩紐の部分的な厚さの増加を抑制して、衣類を着けた際に、上からの圧迫による違和感をなくすと共に、さらに衣類の着脱時には肩紐の長さを容易に伸ばして着用時の操作性を良くし、着脱しやすくした肩紐および肩紐の長さ調節装置を提供するものである。
【０００８】
【課題を解決するための手段】
上記の課題を解決し、その目的を達成する手段として、本発明は、ブラジャー等の女性用下着および水着等の肩紐の長さを調節する調節留め具が、接着、溶着、カシメ、またはインサート成形等により肩紐に一体的に設けられていることを特徴とする肩紐を開発し、採用した。
【０００９】
また、本発明は、ブラジャー等の女性用下着および水着等の肩紐の長さを調節する調節留め具に係脱自在な係合具が、接着、溶着、カシメ、またはインサート成形等により肩紐に一体的に設けられており、係合具の回動操作により、調節留め具と係合具の肩紐当接面間に隙間を形成して、該隙間により肩紐の長さをスライド調節できるように構成されていることを特徴とする肩紐の長さ調節装置を開発し、採用した。
【００１０】
【発明の実施の形態】
以下に本発明の実施の形態を添付図面に基づいて説明すれば、図１〜図３は本発明の第１実施の形態を示しており、同図において、１はウレタン弾性糸をポリエステル繊維で被覆して織り上げた細幅の肩紐である。２は薄い金属板材を略８字状にプレスで打ち抜き、外周面をポリエステル樹脂で被覆した肩紐１の長さ調節留め具である。
【００１１】
この調節留め具２は、上横杆２ａ，中横杆２ｂ，面積の広い取付け面２ｃ，縦側杆２ｄ，２ｄが一体的に連設され、上横杆２ａと中横杆２ｂの間に上部孔３を設け、取付け面２ｃの上部に下部孔４を設けて構成されている。
【００１２】
このように構成した肩紐１と調節留め具２を結着するためには、肩紐１の一端部の表面に調節留め具２の取付け面２ｃを重ね合わせて、超音波溶着機、高周波溶接機で肩紐１と調節留め具２を溶着したものである。この時、調節留め具２の取付け面２ｃは面積が広くなっているため、肩紐１との重ね合わせが容易になり、かつ肩紐１と調節留め具２との溶着面積も広くなって、より確実に強固に溶着されるものである。
【００１３】
調節留め具２が一体的に溶着された肩紐１は、図２に示すように、その他端をカップの上部に設けた取付け環５に通して折り返し、調節留め具２の裏面側から下部孔４に通して表面側に出し、中横杆２ｂを介し上部孔３に挿通して裏面側に出し背面布（図示せず）に縫着される。
【００１４】
このように構成した肩紐１は、調節留め具２を上方に移動させることにより短くなり、下方に移動させることにより長くなるので、肩紐１の長さを自由に調節できるものである。そして、従来の肩紐のように、調節留め具の中横杆に折り返して縫着する必要がないから、調節留め具２の部分が薄くてスッキリとした外観になり体裁が良くなると共に、厚みが略均一になるため肌当たりも良くなって、着心地が良好になる。さらに、素材の節減が図れて経済的であり、洗濯を行っても縫糸がほつれる心配がなく、長期の使用に耐えることができると同時に、縫製工程がなくなるため、製造の自動化が容易になり製造能率を向上させることが可能になる。
【００１５】
なお、前述の実施の形態では、ポリエステル繊維での肩紐の場合を示したが、例えば、ナイロン繊維でウレタン弾性糸を覆った肩紐の場合には、当然のことながら金属板材はポリアミド樹脂で被覆したものを用いる。
【００１６】
つぎに、図４〜図６は本発明の第２実施の形態を示しており、上記第１実施の形態と相違しているのは、超音波溶着、高周波溶接に代わってインサート成形で肩紐１と調節留め具２を一体的に形成したことである。
【００１７】
すなわち、ウレタン弾性糸をポリエステル繊維で被覆して織り上げた細幅の肩紐１である点では前記実施の形態１と同じであり、その肩紐１の一端部を射出成形の金型に入れ、前記実施の形態１と同様の略８字状の調節留め具２をポリアセタール樹脂で一体的に形成したものである。
【００１８】
調節留め具２が一体的に形成された肩紐１は、図５に示すように、その他端をカップの上部に設けた取付け環５に通して折り返し、調節留め具２の裏面側から下部孔４に通して表面側に出し、中横杆２ｂを介し上部孔３に挿通して裏面側に出し背面布（図示せず）に縫着されているのは前記実施の形態１と同じであるから、実施の形態１と同一部分には同一符号を記入すると共に、作用効果も実施の形態１と同様なので説明は省略する。
【００１９】
図７〜図９は本発明の第３実施の形態を示しており、１１はウレタン弾性糸をポリエステル繊維で被覆して織り上げた細幅の肩紐、１２はポリアセタール樹脂成形品からなる調節留め具である。この調節留め具１２は、上横杆１２ａ，上部孔１３，取付け面１２ｂ，下部孔１４，下横杆１２ｃ，縦側杆１２ｄ，１２ｄを一体的に連設して構成されており、取付け面１２ｂの一側面を薄くして、該側面に一側方に突出する円錐突起部１５，１５を設けたものである。
【００２０】
このように構成した調節留め具１２と肩紐１１の結着は、その調節留め具１２の取付け面１２ｂに形成した円錐突起部１５，１５を肩紐１１に押し付けて突き出し、突起部１５，１５を熱コテあるいは超音波溶着や高周波溶接でカシメたものである。この方式は、射出インサート成形では不可能な形状の場合として利用するものである。
【００２１】
このように構成した調節留め具１２には肩紐１１の一端部が結着されることになり、肩紐１１の他端部をカップの上部に設けた取付け環１６に通して折り返し、調節留め具１２の裏面側から下部孔４に通して表面側に出し、取付け面１２ｂを介し上部孔３に挿通して裏面側に出し、背面布（図示せず）に縫着される。
【００２２】
このように構成した肩紐１１は、調節留め具１２を上方に移動させることにより短くなり、下方に移動させることにより長くなり、肩紐１１の長さを自由に調節できるものである。また、前記実施の形態１，２と同様に、調節留め具１２の部分が薄くてスッキリとした外観で体裁が良くなると共に、厚みが略均一になるため，肌当たりも良くなって、着心地が良好になる。
【００２３】
つぎに、図１０〜図１４は本発明の肩紐の長さ調節装置の実施の形態を示している。前記の第１〜第３実施の形態においては、肩紐１の一端部に調節留め具２を超音波溶着、高周波溶接あるいはインサート成形等により、一体的に形成したものであったが、この実施の形態においては、肩紐２１の調節留め具２２と、これと係脱する係合具２３とから肩紐の長さ調節装置を構成したものである。
【００２４】
すなわち、肩紐２１はウレタン弾性糸をポリエステル繊維で被覆して織り上げた細幅の肩紐であり、その肩紐２１の一端部を射出成形の金型に入れ、ポリアセタール樹脂で係合具２３を一体的に形成したものである。
【００２５】
調節留め具２２は、実施の形態１と同様に薄い金属板材を略８字状にプレスで打ち抜いてポリエステル樹脂で被覆したものであり、前記実施の形態１，２の調節留め具２とは、下方部を開放してある点で相違している。つまり、図１０に示すように、その調節留め具２２は、上横杆２２ａ、中横杆２２ｂ、下横杆２２ｃ、縦側杆２２ｄ，２２ｄを一体的に連設し、上横杆２２ａと中横杆２２ｂの間に上部孔２４を設け、中横杆２２ｂと下横杆２２Ｃの間に下部孔２５を設けると共に、側枠杆２２ｄ，２２ｄを下方に延設してその下部を細杆とし、その内側面に穴２６，２６を設けたものであって、下方部が開放されている。
【００２６】
係合具２３は、図１１に示すように、先端部を半円弧状の肩紐当接面２７に形成すると共に、その後方に調整留め具２２の下横杆２２ｃと互いに嵌脱する開口部２８を幅方向の全面に設けてある。そして、開口部２８の開放口２８ａを若干幅狭く形成すると共に、開口部２８の上端から肩紐当接面２７までの上部寸法２７ａを、開口部２８の側端から肩紐当接面２７までの側部寸法２７ｂより長く形成してある。すなわち、上部寸法２７ａが中横杆２２ｂと対向する時に、肩紐当接面２７と中横杆２２ｂとの隙間がなくなって肩紐２１が圧着され、側部寸法２７ｂが中横杆２２ｂと対向する時に、肩紐当接面２７と中横杆２２ｂとの隙間があき肩紐２１がスライドできるようになっている。２９は肩紐当接面２７から突出する突起部である。３０は係合具２３の両側面に突出した半円状の突起部である。
【００２７】
この係合具２３と調節留め具２２の使用状態を説明すると、係合具２３を一体的に設けた肩紐２１は、図１２、図１３に示すように、その一端をカップの上部に設けた取付け環３１に通して折り返し、調節留め具２２の裏面側の下部孔２５から中横杆２２ｂの表面側に出し、上部孔２４から上横杆２２ａの裏面側に出し、背面布（図示せず）に縫着される。
【００２８】
このように構成した肩紐調節装置の使用状態を説明すると、調節留め具２２と係合具２３が係合していない状態（図１４Ａ）から、係合具２３を傾斜させて開口部２８を調整留め具２２の下横杆２２ｃに嵌合させる（図１４Ｂ）。そして、係合具２３を回動して垂直状態にすると、肩紐２１が肩紐当接面２７に設けた突起部２９，２９と横杆２２ｂとで挟圧され固定される（図１４Ｃ）。この固定状態から係合具２３をさらに回動すると、肩紐当接面２７と中横杆２２ｂとの間に隙間があき、肩紐２１を自由にスライドでき長さを調節することができる（図１４Ｄ）。
【００２９】
この実施の形態によれば、調節留め具２２の肩紐２１の厚さが従来のものに比べて格段に薄くなり、着用が良好となると共に、肩紐の長さ調節は、係合具を指で摘まみ回動するだけの片手操作で簡単に行うことができる。また、衣類の着用時に肩紐２１を長くルーズにしておけば、着用時に衣類を無理に引っ張ることがなくなって着脱が容易にできる。さらに、係合具２３の開口部２８と嵌脱する横杆２２Ｃとは幅方向の全面に亘って嵌合するので、外れたりすることがない。さらに、肩紐２１は突起部２９，２９によって食い込んで圧着されるので緩むことがない。
【００３０】
以上、本発明の主要な実施の形態について説明したが、本発明はこれらの実施の形態に限定されるものではなく、発明の目的を達成でき、且つ発明の要旨を逸脱しない範囲内で種々の設計変更が可能である。
【００３１】
【発明の効果】
以上のように、本発明の請求項１の発明は、ブラジャー等の女性用下着および水着等の肩紐の長さを調節する調節留め具が超音波溶着またはインサート成形等により肩紐に一体的に設けられていることを特徴とする肩紐に係るものであるから、調節留め具部分の肩紐の厚さが極めて薄くなり、付け心地が良くなると共に、外観も折り返し部や縫糸がなくスッキリした外観になる。また、製造も自動化が容易になり生産能率が向上する。
【００３２】
また、本発明の請求項２の発明は、ブラジャー等の女性用下着および水着等の肩紐の長さ調節する調節留め具に係脱自在な係合具が超音波溶着またはインサート成形等により肩紐に一体的に設けられており、係合具の回動操作により、調節留め具と係合具の肩紐当接面間に隙間を形成して、該隙間により肩紐の長さをスライド調節できるように構成されていることを特徴とする肩紐の長さ調節装置に係るものであるから、前記請求項１の効果の記載に加えて、係合具を指で摘んで回動する簡単な操作だけで長さ調節ができる。また、衣類の着用時に肩紐を長くルーズにしておけば、着用時に衣類を無理に引っ張ることがなくなって着脱が容易にできる。
【図面の簡単な説明】
【図１】本発明の第１実施の形態を示す正面図である。
【図２】図１の側面図である。
【図３】図２の要部の拡大断面図である。
【図４】本発明の第２実施の形態を示す正面図である。
【図５】図５の側面図である。
【図６】図５の要部の拡大断面図である。
【図７】本発明の第３実施の形態を示す正面図である。
【図８】図８の側面図である。
【図９】図８の要部の拡大断面図である。
【図１０】本発明の肩紐の長さ調節装置の実施形態を示す分解拡大正面図である。
【図１１】図１０の側面図である。
【図１２】結合した状態の正面図である。
【図１３】図１２の側面図である。
【図１４】肩紐の長さを調節する説明図である。
【図１５】従来の肩紐の正面図である。
【図１６】図１５の側面図である。
【図１７】図１５の要部の拡大断面図である。
【符号の説明】
１，１１，２１　肩紐
２，１２，２２　調節留め具
２２ｄ　　　　　　両側枠杆
２２ｃ　　　　　　横杆
２３　　　　　　　係合具
２７　　　　　　　肩紐当接面
２８　　　　　　　開口部
２９　　　　　　　突起部
【図１】
2004076173.tif 000003
【図２】
2004076173.tif 000004
【図３】
2004076173.tif 000005
【図４】
2004076173.tif 000006
【図５】
2004076173.tif 000007
【図６】
2004076173.tif 000008
【図７】
2004076173.tif 000009
【図８】
2004076173.tif 000010
【図９】
2004076173.tif 000011
【図１０】
2004076173.tif 000012
【図１１】
2004076173.tif 000013
【図１２】
2004076173.tif 000014
【図１３】
2004076173.tif 000015
【図１４】
2004076173.tif 000016
【図１５】
2004076173.tif 000017
【図１６】
2004076173.tif 000018
【図１７】
2004076173.tif 000019